(57)【要約】    【課題】交通整理作業員のもらい事故を確実に防止し得る電光表示盤を提供する。    【解決手段】操作装置１０と、表示装置２０とを含み、道路工事における交通整理に用いられる移動式の電光表示盤であって、操作装置１０は、交通整理作業員６が行う操作に応じた制御信号を生成し、制御信号を電波５として送信し、表示装置２０は、制御信号を受信し、制御信号に応じて表示内容を変化させる。【選択図】      図１
2005108092.tif 000002
【特許請求の範囲】
【請求項１】
操作装置と、表示装置とを含み、道路工事における交通整理に用いられる移動式の電光表示盤であって、
前記操作装置は、交通整理作業員が行う操作に応じた制御信号を生成し、前記制御信号を電波として送信し、
前記表示装置は、前記制御信号を受信し、前記制御信号に応じて表示内容を変化させる
電光表示盤。
【発明の詳細な説明】
【背景技術】
【０００１】
道路工事現場では、工事を安全に行うため、工事区間を走行する車両を誘導する必要がある。車両誘導のための装置として、移動式の電光表示盤が知られている。
【０００２】
従来の電光表示盤は、表示装置と、ケーブルを介して表示装置に接続された操作装置とを有しており、交通整理作業員は、操作装置を用いて表示装置の表示内容を制御していた。表示内容としては、例えば、止まれ（赤信号）、進行可（青信号）、徐行等を挙げることができる。
【０００３】
表示装置は、車両の運転手の注意を喚起すべく、車両の走行路に近接して設置されるから、運転手の前方不注意、居眠り等の原因によりはねられる、いわゆる、もらい事故を発生するおそれが高い。このため、交通整理作業員は、できるだけ車両の走行路から離れた場所で、操作装置を制御し、もらい事故を避ける必要がある。
【０００４】
ところが、道路工事現場では、多数の工事作業員が資材の運搬等を行っているので、ケーブルを長くした場合には、工事作業員がケーブルにつまずき、事故を引き起こすおそれがある。特に、夜間の道路工事現場は、足元が暗いので、ケーブルにつまずく事故のおそれは、非常に高いものとなる。このような事故を回避するため、ケーブル長は、一般的に２〜３ｍ程度に留められる。
【０００５】
このように、従来の電光表示盤では、ケーブル長が２〜３ｍ程度であり、交通整理作業員が車両の走行路から十分に離れることができるとはいい難い。このため、交通整理作業員のもらい事故を確実に防止できるとはいい難かった。
【０００６】
また、上述したようなケーブルの使用に起因する問題を回避する手段として、屋内に備えられた装置、例えば、テレビやビデオ等の電気機器に用いられる赤外線リモコンを電光表示盤の制御に転用することが考えられる。しかしながら、屋外では、赤外線の伝播特性が不安定になるから、赤外線を用いた制御は、信頼性が極めて低くなる。このため、屋外の道路工事現場に配置される電光表示盤に、赤外線を用いた制御を採用することはできない。
【発明の開示】
【発明が解決しようとする課題】
【０００７】
本発明の課題は、交通整理作業員のもらい事故を確実に防止し得る電光表示盤を提供することである。
【課題を解決するための手段】
【０００８】
上述した課題を解決するため、本発明に係る電光表示盤は、操作装置と、表示装置とを含み、道路工事における交通整理に用いられる。操作装置は、交通整理作業員が行う操作に応じた制御信号を生成し、制御信号を電波として送信する。表示装置は、制御信号を受信し、制御信号に応じて表示内容を変化させる。
【０００９】
上述したように、本発明に係る電光表示盤は、操作装置と、表示装置とを含み、操作装置が交通整理作業員が行う操作に応じた制御信号を生成し、表示装置が制御信号に応じて表示内容を変化させるから、本発明に係る電光表示盤は、道路工事における交通整理に用いることができる。制御信号は、ディジタル信号であっても、アナログ信号であってもよい。表示装置の表示内容としては、例えば、止まれ（赤信号）、進行可（青信号）、徐行等を挙げることができる。
【００１０】
本発明に係る電光表示盤は、操作装置が、制御信号を電波として送信し、表示装置は、送信された制御信号を受信する。このように、本発明に係る電光表示盤は、ケーブルではなく電波を用いているので、操作装置と表示装置との間隔を大きくした場合でも、ケーブルにつまずく事故を生じるおそれがない。このため、交通整理作業員は、表示装置から離れた場所で操作装置を制御することにより、もらい事故を確実に回避することができる。
【００１１】
また、本発明に係る電光表示盤は、赤外線ではなく電波を用いているので、屋外においても信頼性の高い送受信を行うことができる。
【００１２】
本発明の他の特徴及びそれによる作用効果は、添付図面を参照し、実施例によって更に詳しく説明する。
【発明を実施するための最良の形態】
【００１３】
図１は本発明に係る電光表示盤の使用状態を示す図、図２は図１に示した電光表示盤のブロック図、図３は図１に示した電光表示盤の表示装置の斜視図である。図１において、電光表示盤１は、操作装置１０と、表示装置２０とを含む。図示の電光表示盤は、例えば、道路工事における交通整理に用いられる。
【００１４】
表示装置２０は、道路７上の道路工事区間７１の入口近傍であって、車両の走行路に近接した位置に設置されている。表示装置２０は、車両の運転手の注意を喚起すべく、車両の走行路に近接して設置されるから、運転手の前方不注意、居眠り等の原因によりはねられる（いわゆる、もらい事故）おそれが高い。
【００１５】
操作装置１０は、表示装置２０から離れた場所に備えられている。表示装置２０から離れた場所としては、操作装置１０を制御する交通整理作業員６がもらい事故を確実に回避できる場所であることが好ましい。もらい事故を確実に回避できる場所としては、例えば、車両の走行路から離れた場所や、道路工事区間７１内の車両が徐行運転している場所等を挙げることができる。
【００１６】
図２において、操作装置１０は、操作部１１と、送信回路１２と、送信アンテナ１３とを含む。表示装置２０は、受信アンテナ２１と、受信回路２２と、表示部２３とを含む。
【００１７】
図２に示した操作装置１０は、操作部１１が、交通整理作業員６が行う操作に応じた制御信号を生成する。送信回路１２は、操作部１１が生成した制御信号を送信アンテナ１３を介して、電波５として送信する。表示装置２０は、受信回路２２が、受信アンテナ２１を介して、制御信号を受信する。表示部２３は、制御信号に応じて表示内容を変化させる。
【００１８】
図３において、表示装置２０の表示部２３は、「止まれ」という文字を電光表示しているが、本発明に係る電光表示盤の表示内容は、これに限定されるものではない。電光表示盤の表示内容としては、例えば、「進行可」、「この先、作業中」、「通行止め」、「幅員減少」、「右へ」、「左へ」、「徐行」、「注意」、「一時停止」、「進入禁止」、「迂回」、「事故」、「信号あり」、「路面凍結」、「除雪中」等の文字であってもよい。また、電光表示盤の表示内容としては、文字の代わりに、「止まれ」を意味する赤色灯、「注意」を意味する黄色灯、「進行可」を意味する青色灯等であってもよい。
【００１９】
上述した図示の電光表示盤１は、操作装置１０と、表示装置２０とを含み、操作装置１０が交通整理作業員６が行う操作に応じた制御信号を生成し、表示装置２０が制御信号に応じて表示内容を変化させるから、図示の電光表示盤１は、道路工事における交通整理に用いることができる。制御信号は、ディジタル信号であっても、アナログ信号であってもよい。
【００２０】
図示の電光表示盤１は、操作装置１０が、制御信号を電波５として送信し、表示装置２０は、送信された制御信号を受信する。このように、図示の電光表示盤１は、ケーブルではなく電波５を用いているので、操作装置１０と表示装置２０との間隔を大きくした場合でも、ケーブルにつまずく事故を生じるおそれがない。このため、交通整理作業員６は、表示装置２０から離れた場所で操作装置１０を制御することにより、もらい事故を確実に回避することができる。
【００２１】
また、図示の電光表示盤１は、赤外線ではなく電波５を用いているので、屋外においても信頼性の高い送受信を行うことができる。
【００２２】
更に、ケーブルを用いた従来の電光表示盤では、表示装置と操作装置との間に車両が走行すると、表示装置−操作装置間を接続するケーブルが車両に踏まれて劣化し、電光表示盤の故障を招来するという問題があった。
【００２３】
これに対して、図示の電光表示盤１は、ケーブルを用いていないので、表示装置と操作装置との間に車両が走行しても、かかる問題を生じない。したがって、図示の電光表示盤１は、表示装置２０の設置位置の選択の自由度が更に増大することとなる。
【００２４】
また、図１においては、道路工事区間７１に、１つの電光表示盤が配置されているが、道路工事区間７１に２以上の電光表示盤を配置してもよい。
【００２５】
また、道路工事区間７１に２以上の電光表示盤を配置する場合は、２以上の電光表示盤同士で、電波を用いた通信を行ってもよい。例えば、上り車両の交通整理を行う一の電光表示盤と、下り車両の交通整理を行う他の電光表示盤とがある場合、一の電光表示盤が「進行可」を表示しているとき、他の電光表示盤が必ず「止まれ」を表示する構成とすることができる。この場合、交通整理作業員６が判断ミスをした場合でも、安全な交通整理を確保することができる。
【００２６】
以上、好ましい実施例を参照して本発明の内容を具体的に説明したが、本発明の基本的技術思想及び教示に基づいて、当業者であれば、種々の変形態様を採り得ることは自明である。
【図面の簡単な説明】
【００２７】
【図１】本発明に係る電光表示盤の使用状態を示す図である。
【図２】図１に示した電光表示盤のブロック図である。
【図３】図１に示した電光表示盤の表示装置の斜視図である。
【符号の説明】
【００２８】
１                電光表示盤
１０              操作装置
２０              表示装置
６                交通整理作業員
７                道路
７１              道路工事区間
【図１】
2005108092.tif 000003
【図２】
2005108092.tif 000004
【図３】
2005108092.tif 000005